(57)【要約】【課題】被梱包体に所定の締め付け力を付与して、被梱包体の締め付け過ぎや運搬時等の潰れによるバンドの緩みと荷崩れ等で発生する被梱包体の外観不良や損傷の発生を防止する。そして、被梱包体が例えば複写機等の画像形成装置の場合、使用時の画像品質に影響を与えない梱包用巻き締め具を提供する。【解決手段】被包装体１００の外周面１００ａ上を這い回し巻き締めて包装するバンド部材１と、前記バンド部材１で梱包する際に所定の締め付け力を付与するアジャスト部材２と、前記アジャスト部材２と前記バンド部材１を連結して固定する連結固定手段３と、前記連結固定手段３で前記バンド部材１と一体の前記アジャスト部材２が梱包する際に前記外周面１００ａに当接する当接面４と、を備える。【選択図】図１
2009248995.tif 000002
【特許請求の範囲】
【請求項１】
被梱包体を梱包する梱包用巻き締め具において、被梱包体の外周面上を這い回し巻き締めて梱包するバンド部材と、前記バンド部材で梱包する際に所定の締め付け力を付与するアジャスト部材と、前記アジャスト部材と前記バンド部材を連結して固定する連結固定手段とを備えることを特徴とする梱包用巻き締め具。
【請求項２】
前記前記バンド部材と連結される前記アジャスト部材が、少なくとも２個以上であることを特徴とする請求項１に記載の梱包用巻き締め具。
【請求項３】
前記連結固定手段は、前記バンド部材と前記アジャスト部材とを一体成形で連結して固定することを特徴とする請求項１または２に記載の梱包用巻き締め具。
【請求項４】
前記連結固定手段は、前記アジャスト部材に配置され、前記アジャスト部材の外周に接しないように貫通した開口部であることを特徴とする請求項１または２に記載の梱包用巻き締め具。
【請求項５】
前記開口部の近傍には、当該開口部に挿入される前記バンド部材を前記アジャスト部材に圧接固定する固定手段を備えることを特徴とする請求項４に記載の梱包用巻き締め具。
【請求項６】
前記開口部の近傍および前記バンド部材の両側線と並行の位置に凸部形状のバンド部材ずれ防止手段を備えることを特徴とする請求項４または５に記載の梱包用巻き締め具。
【請求項７】
前記アジャスト部材の前記被梱包体に接する当接面は、前記被梱包体の前記外周面に対する滑りを防止する摩擦抵抗面であることを特徴とする請求項１に記載の梱包用巻き締め具。
【請求項８】
前記摩擦抵抗面は複数の溝であることを特徴とする請求項７に記載の梱包用巻き締め具。
【請求項９】
前記アジャスト部材は、前記バンド部材の巻き締め方向に伸縮自在の伸縮型アジャスト部材であることを特徴とする請求項１または２に記載の梱包用巻き締め具。
【請求項１０】
前記伸縮型アジャスト部材は、前記被梱包体の面と対向する方向に湾曲した湾曲形状部を有し、当該湾曲形状部の伸縮により前記バンド部材の巻き締め方向に伸縮自在となることを特徴とする請求項９に記載の梱包用巻き締め具。
【請求項１１】
前記伸縮型アジャスト部材の前記湾曲形状部は、その湾曲凹部側に弾性部材を備えることを特徴とする請求項１０に記載の梱包用巻き締め具。
【請求項１２】
前記弾性部材は、滑りを防止する摩擦部材で形成されていることを特徴とする請求項１１に記載の梱包用巻き締め具。
【請求項１３】
前記伸縮型アジャスト部材は、当該部材の外周に接しないように開孔された複数の開孔部を有することを特徴とする請求項９に記載の梱包用巻き締め具。
【請求項１４】
前記複数の開孔部は、当該開孔部の形状が円弧状スリットであることを特徴とする請求項１３に記載の梱包用巻き締め具。
【請求項１５】
前記複数の開孔部は、当該開孔部の形状が四角形状であることを特徴とする請求項１３に記載の梱包用巻き締め具。
【請求項１６】
前記複数の開孔部は、当該開孔部の形状が円形状であることを特徴とする請求項１３に記載の梱包用巻き締め具。
【発明の詳細な説明】
【技術分野】
【０００１】
本発明は、梱包材である段ボール等に各種部品、製商品等を内包させた被梱包体そのもの、もしくはパレット上に前記被梱包体を載置した形態にて流通に供する場合、前記被梱包体自体を固定するか、あるいはパレット上に被梱包体を固定保持するための梱包用巻き締め具に関する。
【背景技術】
【０００２】
従来、製商品等を内包した１個又は複数個の被梱包体を所定の状態に固定したり、別途用意されたパレット上にこの被梱包体を置いて固定する場合、ＰＰ（ポリプロピレン）バンド等の梱包用巻き締め具が用いられ、このバンドを被梱包体の外周に這い回し締結した直後に、バンドの両端部を融着あるいは金属部材で固定するように構成されている。
このような梱包用巻き締め具は、例えば被梱包体であるダンボール製本体の外周面の上にバンドを這い回し巻き締めて、被梱包体自体の不要な開梱を防止したり、被梱包体をパレット上に載置固定するためパレットと被梱包体を一括して固定することに用いてれているが、以下に説明されるような問題がある。
被梱包体が運搬や保管される際、被梱包体を直接、または内包物をダンボール包装材や天板等の保護部材等の梱包材で梱包した被梱包体をバンド等で固定して保管あるいは出荷輸送される。
この時、従来のバンド等で被梱包体を固定した場合、出荷輸送時の振動や衝撃により、当初のバンドの締め付け力に対し、被梱包体の稜線が潰れてバンドの締め付け力が弱まり、被梱包体の固定状態が弱まり荷崩れ等が発生する。このよう弱まり荷崩れ等により被梱包体が運搬部材の壁等に衝突する事態となり、被梱包体に外観不良や損傷を与えることになる。前記損傷が被梱包体本体にまで及べば、その被梱包体本体が画像形成装置等の精密機材であれば、運搬や保管後に、この画像形成装置等から得られる画像の品質が低下することも懸念される。
また、被梱包体に対して必要以上にバンドを締め付け、被梱包体の稜線が潰れて被梱包体を変形させてしまうと、同様な問題を発生することになる。
【０００３】
このような問題を解決するためのいくつかの提案を見ることができる。
ひとつは、ダンボール本体の下端縁には、底板に形成された嵌入突片が嵌合する位置決め用開口を形成する。そして、この位置決め用開口のほぼ中央部にはダンボール本体の下端縁まで開口するバンド挿入用の切欠部を形成することが提案されている（特許文献１を参照）。
または、被梱包体の段積みされるプラスチック製容器自体の外周面の上に直接にバンドを這い回し巻き締めて梱包されることがある。このプラスチック製容器が段積みされる場合でもバンドが互いに干渉することを防止するために、プラスチック製容器の蓋部材の上面にバンドの位置決め用の突起を形成する。更に、容器本体の底面にもバンドを掛けるための溝を形成することも提案されている。これによりバンドの位置ずれが低減され、プラスチック製容器の荷崩れを防止している（特許文献２を参照）。
上述するような梱包用巻き締めの形態は、被梱包体自体に特殊な構造を必要としたり、他の冶具を必要として汎用的なものでもない。
【特許文献１】特開平８−１７５５９０号公報
【特許文献２】特開２００１−１３９０４６公報
【発明の開示】
【発明が解決しようとする課題】
【０００４】
従来のバンドによって梱包される例えば画像形成装置等の被梱包体は、バンド等で被梱包体を固定した場合でも、出荷輸送時の振動や衝撃により、被梱包体の稜線が潰れてバンドの締め付け力が弱まり、被包装体や梱包材がずれて荷崩れ等が発生する。そして、被梱包体に外観不良や損傷を与えるだけでなく、流通後に使用する製品の所期の性能、品質が得られないということにもなる。
また、必要以上にバンドを締め付けて被梱包体を変形させてしまうため、その締め付け箇所の強度が低下して、バンドの緩みが助長される為に、同様に被梱包体がずれて荷崩れ等が発生する。
そこで本発明の課題は、このような問題を解決するものである。即ち、被梱包体に所定の締め付け力を付与して、被梱包体の締め付け過ぎや運搬時等の潰れによるバンドの緩みと荷崩れ等で発生する被梱包体の外観不良や損傷の発生を防止する。そして、被梱包体が例えば複写機等の画像形成装置の場合、使用時の画像品質に影響を与えない梱包用巻き締め具を提供することを目的とする。
【課題を解決するための手段】
【０００５】
上記技術課題を達成するために、本発明にかかる梱包用巻き締め具は、下記の技術的手段を講じた。
請求項１に記載の梱包用巻き締め具は、被梱包体を梱包する梱包用巻き締め具において、被梱包体の外周面上を這い回し巻き締めて梱包するバンド部材と、前記バンド部材で梱包する際に所定の締め付け力を付与するアジャスト部材と、前記アジャスト部材と前記バンド部材を連結して固定する連結固定手段とを備えることを特徴とする。
請求項２に梱包用巻き締め具は、請求項１において、前記前記バンド部材と連結される前記アジャスト部材が、少なくとも２個以上であることを特徴とする。
請求項３に記載の梱包用巻き締め具は、請求項１または２において、前記連結固定手段は、前記バンド部材と前記アジャスト部材とを一体成形で連結して固定することを特徴とする。
請求項４に記載の梱包用巻き締め具は、請求項１または２において、前記アジャスト部材に配置され、前記アジャスト部材の外周に接しないように貫通した開口部であることを特徴とする。
【０００６】
請求項５に記載の梱包用巻き締め具は、請求項４において、前記開口部の近傍には、当該開口部に挿入される前記バンド部材を前記アジャスト部材に圧接固定する固定手段を備えることを特徴とする。
請求項６に記載の梱包用巻き締め具は、請求項４または５において、前記開口部の近傍および前記バンド部材の両側線と並行の位置に凸部形状のバンド部材ずれ防止手段を備えることを特徴とする。
請求項７に記載の梱包用巻き締め具は、請求項１において、前記アジャスト部材の前記被梱包体に接する当接面は、前記被梱包体の前記外周面に対する滑りを防止する摩擦抵抗面であることを特徴とする。
請求項８に記載の梱包用巻き締め具は、請求項７において、前記摩擦抵抗面は複数の溝であることを特徴とする。
請求項９に記載の梱包用巻き締め具は、請求項１または２において、前記アジャスト部材は、前記バンド部材の巻き締め方向に伸縮自在の伸縮型アジャスト部材であることを特徴とする。
【０００７】
請求項１０に記載の梱包用巻き締め具は、請求項９において、前記伸縮型アジャスト部材は、前記被梱包体の面と対向する方向に湾曲した湾曲形状部を有し、当該湾曲形状部の伸縮により前記バンド部材の巻き締め方向に伸縮自在となることを特徴とする。
請求項１１に記載の梱包用巻き締め具は、請求項１０において、前記伸縮型アジャスト部材の前記湾曲形状部は、その湾曲凹部側に弾性部材を備えることを特徴とする。
請求項１２に記載の梱包用巻き締め具は、請求項１１において、前記弾性部材は、滑りを防止する摩擦部材で形成されていることを特徴とする。
請求項１３に記載の梱包用巻き締め具は、請求項９において、前記伸縮型アジャスト部材は、当該部材の外周に接しないように開孔された複数の開孔部を有することを特徴とする。
請求項１４に記載の梱包用巻き締め具は、請求項１３において、前記複数の開孔部は、当該開孔部の形状が円弧状スリットであることを特徴とする。
請求項１５に記載の梱包用巻き締め具は、請求項１３において、前記複数の開孔部は、当該開孔部の形状が四角形状であることを特徴とする。
請求項１６に記載の梱包用巻き締め具は、請求項１３において、前記複数の開孔部は、当該開孔部の形状が円形状であることを特徴とする。
【発明の効果】
【０００８】
被梱包体等への従来のバンド部材による梱包締め付けの際、締め付け過ぎにより被梱包体等の一部に潰れが生じたり、運搬途中に被梱包体等の一部が外部からの衝撃により潰れが生じ、バンド部材が緩むことで荷崩れが発生し重大な事故に繋がったり、被梱包体の落下により内包物の損傷のきたすことがある。しかしながら、本発明によれば、バンド部材による締め付け過ぎ回避することができたり、例えば、何等かの事情により被梱包体の一部に、締め付け力が低下するような外観形状の変化がおきても、被梱包体に所定の締め付け力を付与し続け、前掲のような問題がない梱包用巻き締め具を提供することができる。
【発明を実施するための最良の形態】
【０００９】
以下、本発明の実施形態を図面を参照して詳細に説明する。
図１は、本発明の実施の形態例にかかる梱包用巻き締め具１０により被梱包体１００としての梱包箱１０１を巻き締めて梱包する基本構成を示す斜視図である。
図１において、物品を運搬や保管する際に巻き締めて梱包する梱包用巻き締め具１０は、被梱包体１００である梱包箱１０１の外周面１０１ａ上を這い回し巻き締めて梱包するバンド部材１を備えている。そして、バンド部材１と、バンド部材１で梱包する際に所定の締め付け力を付与するアジャスト部材２と、前記アジャスト部材と前記バンド部材を連結して固定する連結固定手段３とを備えている。
前記アジャスト部材２は一つのバンド部材１に対して複数個で連結されていても良い。具体的には、一本のバンド部材１の両端にそれぞれアジャスト部材２が連結固定され、それぞれのアジャスト部材２のバンド部材１に連結していない連結固定手段３が他のバンド部材１と連結固定される。
【００１０】
本例のアジャスト部材２は、バンド部材１の巻き締め方向の矢印Ａ方向に伸縮自在の伸縮型アジャスト部材２１である。更に、伸縮型アジャスト部材２１とバンド部材１とを連結して固定する連結固定手段３を備えている。
連結固定手段３は伸縮型アジャスト部材２１の端部に設けた貫通する開口部としてもよく、またバンド部材１の端部と伸縮型アジャスト部材２１の端部とが一体成形で連結固定されても良い。伸縮型アジャスト部材２１は梱包する際に被梱包体１００の外周面１０１ａに当接する当接面４を備えている。
梱包用巻き締め具１０は、画像形成装置２００を内包する被梱包体１００である梱包箱１０１を運搬や保管する際に、パレット６上に載置することにより安定した梱包固定状態にすることができる。
更に、梱包用巻き締め具１０としてのバンド部材１と伸縮型アジャスト部材２１は、バンド部材１を帯形状にして、稜線１００ｂを覆うアングル部材５を介して巻き締めることにより梱包箱１０１の潰れの発生を防止することができる。そして、バンド部材１を介して伸縮型アジャスト部材２１をいずれかの外周面１０１ａに、少なくとも２個以上を配置した状態で這い回し巻き締めることにより、より安定した梱包状態にすることもできる。
このように、梱包箱１０１に過剰とならない所定の締め付け力を付与して、梱包箱１０１の締め付け過ぎや運搬時等の潰れによるバンド部材１の緩みと荷崩れ等で発生する梱包箱１０１の外観不良や損傷の発生を防止する。
【００１１】
図２は、本発明の実施の形態例にかかる梱包用巻き締め具１０が複数の被梱包体１００を集積した集合箱１０２を巻き締めて梱包する基本構成の斜視図である。
図２において、梱包用巻き締め具１０は、被梱包体１００の集積体である集合箱１０２の外周面１０２ａ上を這い回し巻き締めて梱包するバンド部材１を備えている。そして、バンド部材１で梱包する際に所定の締め付け力を付与して締め付け位置を保持するアジャスト部材２を備える。このアジャスト部材２は前記バンド部材の巻き締め方向に伸縮自在の伸縮型のアジャスト部材２２である。更に、伸縮型アジャスト部材２２とバンド部材１を連結して固定する連結固定手段３を備えている。
連結固定手段３としてはバンド部材１と連結固定手段３の部材が一体成形で連結しており、伸縮型アジャスト部材２２の一方の面は梱包に供される際に外周面１０２ａに当接する当接面４を備えている。
梱包用巻き締め具１０のバンド部材１と伸縮型アジャスト部材２２は、バンド部材１を帯形状にして、稜線１００ｂを覆うアングル部材５を介して巻き締めることにより集合箱１０２の潰れの発生を防止することができる。そして、いずれかの外周面１０２ａに少なくともバンド部材１を介して、２個以上の梱包用巻き締め具１０を配置して這い回し巻き締めることにより、より安定した梱包状態にすることもできる。
【００１２】
図３は、本発明の実施の形態例にかかる梱包用巻き締め具１０のアジャスト部材２である伸縮型アジャスト部材２１の拡大図である。
図４は、本発明の実施の形態例にかかる梱包用巻き締め具１０の連結固定手段３の断面図である。
図５は、本発明の実施の形態例にかかる梱包用巻き締め具１０のアジャスト部材２の部材面には、その部材面外周に接しないように複数の開孔部２３を有し、前記開孔部２３の形状が円形状２３ａの拡大上面図である。
図６は、本発明の実施の形態例にかかる梱包用巻き締め具１０のアジャスト部材２の部材面には、その部材面外周に接しないように開孔された複数の開孔部２３を有し、前記開孔部２３の形状が四角形状２３ｂの拡大上面図である。
図７は、本発明の実施の形態例にかかる梱包用巻き締め部材１０のアジャスト部材２の部材面には、その部材面外周に接しないように複数の開孔部２３を有し、前記開孔部２３の形状が所要径の円周を断続的に描く円弧状スリット２３ｃの拡大上面図である。
【００１３】
図３乃至図７において、アジャスト部材２である伸縮型アジャスト部材２１は、ばね性材からなるアジャスト部材２０と、バンド部材１とアジャスト部材２０とを連結して固定する連結固定手段３を具備するとともに、バンド部材１と連結固定手段３との連結に必要な少なくとも一対の開口部３０と固定手段３１が形成されている。
バンド部材１を連結するための開口部３０は、バンド部材１の巻き締め方向である矢印Ａ方向に合致するように、アジャスト部材２０の両端部かつ略対向する位置に配置されている。
図４に図示するようにバンド部材１は、一端側を隣接する２個の開口部３０を通してまたは後述するフック部材３５を介して伸縮型アジャスト部材２１に連結されている。
前記アジャスト部材の面上には、前記開口部の近傍および前記バンド部材の両側線と並行の位置にバンド部材ずれ防止手段３２を設け、具体的には、バンド部材１の幅方向のずれを規制する凸形状部３２ａが形成されている。
本実施の形態においてアジャスト部材２１は円環状であるが、必ずしも円環状である必要はな四角形状等様々な形状であつてもよい。また、アジャスト部材２１の外周部近傍に設けられる連結固定手段３は偶数個、または奇数個で配置するもので、各々の一対の連結固定手段３は互いに略対向する位置に設けられものである。
更に、連結固定手段３によりバンド部材１と一体化された伸縮型アジャスト部材２１には、梱包する際に外周面１００ａに当接する当接面４が形成されている。そして、ばね性材からなるアジャスト部材２０によりバンド部材１の巻き締め方向の矢印Ａ方向に伸縮自在に形成されて、バンド部材１で梱包する際に所定の締め付け力を付与して締め付け位置を保持するようになっている。
【００１４】
図５乃至図７に示されるように、伸縮型アジャスト部材２１は、ばね性材からなるアジャスト部材２０には、その部材面外周に接しないように開孔された複数の開孔部２３を有する。開孔部２３はその数によりばね性材からなるアジャスト部材２０の伸縮度合いを調整する機能を発揮する。この構成によりバンド部材１の巻き締め方向の矢印Ａ方向に伸縮自在に形成され、何等かの外的作用により被梱包体が動きバンド部材１に張力が掛った場合でも、該張力を開孔部２３を備えるアジャスト部材２０が吸収するとともにバンド部材１の張力を所定の締め付けレバルまでに瞬時に復元させることができ、荷崩れや被梱包体１００の外観不良や損傷の発生を防止する。
開孔部２３の形状は図５に示されるように、円形形状の開孔部２３ａであってもよく、また、図６に示されるように四角形状の開孔部２３ｂであってもよく、図６のアジャスト部材２０の場合は多数の四角形状の開孔部をもって格子状パターンが形成される。該パターンによりバンド部材１の上下または左右の垂直方向の巻き締め方向に伸縮自在となっている。図７は開孔部２３の形状が所要径の円周を断続的に描く円弧状スリットからなる開孔部２３ｃを示すもので、この所要径の円周を断続的に描く円弧状スリットが多数、存在することで、バンド部材１の全方位の巻き締め方向に伸縮自在となっている。
【００１５】
図８は、本発明の実施の形態例にかかる梱包用巻き締め具１０のアジャスト部材２である湾曲型アジャスト部材２２の拡大平面図である。
図９は、図８における本発明の実施の形態例にかかる梱包用巻き締め具１０における湾曲型アジャスト部材２２の湾曲形状部２４のＸ−Ｘ線の断面図である。
図１０は、本発明の実施の形態例にかかる梱包用巻き締め具１０における湾曲型アジャスト部材２２の湾曲形状部２４の湾曲状態の断面図である。
図１１は、本発明の実施の形態例にかかる梱包用巻き締め具１０における湾曲型アジャスト部材２２の弾性部材２５であるスプリング２５ａの基本構成図である。
図１２は、本発明の実施の形態例にかかる梱包用巻き締め具１０における湾曲型アジャスト部材２２の弾性部材２５である発泡材２５ｂの基本構成図である。
図１３は、本発明の実施の形態例にかかる梱包用巻き締め具１０における湾曲型アジャスト部材２２の弾性部材２５である空気ばね２５ｃの基本構成図である。
【００１６】
図８乃至図１３において、アジャスト部材２である湾曲型アジャスト部材２２は、弾性材からなるアジャスト部材２０に形成される湾曲形状部２４と、バンド部材１を連結して固定する連結固定手段３の開口部３０と固定手段３１が形成されている。
アジャスト部材２０はその形状面が被梱包体１００の面１００ａに対して外側に湾曲した形状であり、対向する二つの開口部３０の一方の開口部２３から他方開放部２３にバンド部材１がアジャスト部材本体２０の上面を這うように挿入され、バンド部材１が巻き締められると共にバンド部材１の両端は所定の締結手段により金属部材で固着あるいは、バンド部材１がＰＰバンドの場合は融着によって固定しバンド部材１による梱包状態を維持する。
具体的には、バンド部材１を連結する開口部３０は、アジャスト部材２０の対向する位置に一対または二対となる位置で設けられる。固定手段３１は、両端部側の開口部３０を通して湾曲型アジャスト部材２２に連結するバンド部材１のずれを防止するずれ防止手段３２として、バンド部材１の幅方向のずれを規制しガイドを兼用するリブ状の凸形状部３２ａを備えている。
更に、連結固定手段３でバンド部材１と一体の湾曲型アジャスト部材２２には、包装する際に被梱包体１００の外周面１００ａに当接する当接面４が形成されている。そして、弾性材からなるアジャスト部材２０によりバンド部材１の巻き締め方向の矢印Ａ方向に伸縮自在に形成されてバンド部材１で梱包する際に所定の締め付け力を付与して締め付け位置を保持するようになっている。
【００１７】
湾曲型アジャスト部材２２の湾曲形状部分２４は、被梱包体１００の外周面１００ａから離間するような形状で湾曲し、その湾曲方向はバンド部材１の締め付け方向に沿った方向となっている。
バンド部材１の巻き締め方向である矢印Ａ方向に伸縮自在に巻き締めることができるため、梱包巻き締めの際、被梱包体の荷崩れや被梱包体１００の外観不良や損傷の発生を防止することない適切な強度で巻き締めを行なうことできる。
例えば、運搬や荷扱いの段積み時に、何らかの外的要因で被梱包体１００の稜線１００ｂが潰れバンド部材１が緩む場合が生じる。そのような場合でも、弾性材からなるアジャスト部材２０の湾曲形状部２４が、図１０に図示するように湾曲状態になってバンド部材１の緩みを吸収して、荷崩れや被梱包体１００の外観不良や損傷の発生を防止することができる。
湾曲形状部２４は、前記バンド部材の巻き締め方向に沿う形で湾曲し、さら前記湾曲形状部２４の中間部が前記湾曲形状部の湾曲面と交差する方向で他の前記湾曲形状部に比し幅が広く湾曲に形成することにより、中央部の応力集中を分散できる為に、耐久性、信頼性を向上させることができる。
湾曲形状部２４の湾曲凹部側には、当接する被梱包体１００の外周面１００ａとの間に弾性部材２５を備えている。そして、バンド部材１で梱包する際にバンド部材１の張力の度合いを広く汎用的に使用することができるようにして所定の締め付け力を付与するようになっている。
【００１８】
図１１に示されるように、弾性部材２５には当接する被梱包体１００の外周面１００ａに対する滑りを防止する高摩擦抵抗を有する摩擦部材２６が形成されている。そして、摩擦部材２６によれば、バンド部材１で梱包する際に締め付け後の湾曲型アジャスト部材２２は被梱包体１００の外周面１００ａの表面に密着し、移動が阻止されて、バンド部材１のずれによる緩みを防止できる。
湾曲形状部２４は、弾性部材２５を図１１に図示するバンド部材１の張力の度合いの調整に自由度を有するスプリング２５ａで形成する。そして、バンド部材１で梱包する際に締め付け後の湾曲型アジャスト部材２２は、被梱包体１００の外周面１００ａの表面に密着し、移動が阻止されて、バンド部材１のずれによる緩みを防止できる。
または、湾曲形状部２４は、弾性部材２５を図１２に図示するＥＰＥ等の発泡材２５ｂで形成する。そして、バンド部材１で梱包する際に締め付け後の湾曲型アジャスト部材２２は、被梱包体１００の外周面１００ａの表面に密着し、移動が阻止されて、バンド部材１のずれによる緩みを防止できる。
湾曲形状部２４は、弾性部材２５を図１３に図示する空気ばね２５ｃを設けてもよく、その場合もバンド部材１で梱包する際に締め付け後の湾曲型アジャスト部材２２は、被梱包体１００の外周面１００ａの表面に密着し、移動が阻止されて、バンド部材１のずれによる緩みを防止できる。
従って、湾曲型アジャスト部材２２は、アジャスト部材２０を弾性材の湾曲形状部２４で形成されているので簡単な形状で張力を得ることができる。更に、隣接する他の荷物に支障をきたすことも少なく、バンド部材１の上下の段積み時等の操作性に悪影響を及ぼすことも無い。
【００１９】
図１４は、本発明の実施の形態例にかかる梱包用巻き締め具１０における固定手段３１であって、バンド部材１を連結するための隣接する二つの開口部３０の拡大図である。
図１５は、図１４における本発明の実施の形態例にかかる梱包用巻き締め具１０における固定手段３１である隣接する二つの開口部３０の断面図である。
図１４と図１５において、バンド部材１の端部を、アジャスト部材２０の外周側において対向する位置にある一方の開口部３０のエッジ３３ａを下方から通過するように通す。次いで、エッジ３３ｂを通過したバンド部材１の端部は、アジャスト部材２０の外周側に位置する他方開口部３０のエッジ３３ｃを、上方から下方に通過するように通される。ここで前記開口部３０のエッジ３３ａ、３３ｂ、３３ｃのそれぞれは、図１５に示されるようにアジャスト部材２０の角の断面形状が、前記バンド部材の幅方向にわたり楔形の突起形状となっている。前記エッジ以外のアジャスト部材２０の角の断面形状は丸みを帯びた形状とした。この状態でバンド部材１の端部から延長しているバンド部材１を引っ張ることでバンド部材１をアジャスト部材本体２０に連結固定できる。
【００２０】
図１６は、本発明の実施の形態例にかかる梱包用巻き締め具１０における固定手段３１である押圧固定部材３４の拡大図である。
図１７は、図１６における本発明の実施の形態例にかかる梱包用巻き締め具１０における固定手段３１である押圧固定部材３４のＺ−Ｚ線の断面図である。
図１６と図１７において、固定手段３１であるバンド部材１を押圧して固定する押圧固定部材３４は、アジャスト部材２０と一体に成形されているヒンジ部で開口部３０へ矢印Ｂ方向に回動自在に保持される固定棒３４ａを備えている。更に、固定棒３４ａに設けた凸部３４ｂと凸部３４ｂが嵌合するアジャスト部材本体２０に設けた凹部３４ｃとを備えている。固定棒３４ａの外径ｄは、開口部３０の縦幅Ｄより細く開口部３０内にバンド部材１を押圧して固定する形状になっている。
そして、開口部３０の縦幅Ｄよりやや小さい固定棒３４ａがアジャスト部材２に一体成形されていて、開口部３０にバンド部材１を通してサンドイッチにしながら締め付けて固定するようになっている。その際に、固定棒３４ａの凸部３４ｂはアジャスト部材２０に設けた凹部３４ｃに嵌りバンド部材１を締め付けにより更に確実に押圧固定され、固定部の外れやバンド部材１の緩みを防止することができる。
【００２１】
図１８は、本発明の実施の形態例にかかる梱包用巻き締め具１０の連結固定手段３であるフック部材３５の基本構成図である。
連結固定手段３であるフック部材３５は、バンド部材１の端部に設けられて開口部３０内に嵌合することにより、バンド部材１とアジャスト部材２の伸縮型アジャスト部材２１または図示しない湾曲型アジャスト部材２２を連結して固定する構成になっている。
従って、バンド部材１にフック部材３５を設けることにより、アジャスト部材２の伸縮型アジャスト部材２１または湾曲型アジャスト部材２２の開口部３０に嵌合する構成により、バンド部材１を容易に取り付け取り外しができる。そして、バンド部材１の緩みを防止して、更に確実に連結し固定することができる。
図１９は、本発明の実施の形態例にかかる梱包用巻き締め具１０の連結固定手段３は、バンド部材の締め付け方向が略対向しない方向に供される、少なくとも相互に隣接する三つ以上の開口部３０をアジャスト部材２に配置するもので、その内の二つの開口部３０ｂ、３０ｃは前記アジャスト部材の中央を基準として並列的に隣接配置される。残る一つの開口部３０ａは、前記アジャスト部材２の中央を基準に、前記二つの開口部３０ｂ、３０ｃによって形成された離間領域の前または後ろの位置に配置され、この場合は前に配置した基本構成図である。
すなわち、梱包用巻き締め具１０の連結固定手段３である複数個の開口部３０を、バンド部材の締め付け方向が略対向しない方向で締め付けに供されるよう不複数個で配置する形態とすれば、被梱包体の形状に合わせた最適な締め付けが可能となり、緩みの発生を防止する適切な強度で巻き締めを行なうことできる。
【００２２】
図２０は、本発明の実施の形態例にかかる梱包用巻き締め具１０で三角柱形の被梱包体１００を梱包する基本構成図である。
図２１は、本発明の実施の形態例にかかる梱包用巻き締め具１０で多角柱形の被梱包体１００を梱包する基本構成図である。
開口部３０は、アジャスト部材２に図１９に図示する配置で、例えば、図２０の３角柱形の梱包箱１０１の被梱包体１００に対して最少本数の梱包用巻き締め具１０で適所にフック部材３５を介してバンド部材１を這い回して張設することができる。更に、図２１の多角柱形の集合箱１０２の被梱包体１００に対しても最少本数の梱包用巻き締め具１０で適所にフック部材３５を介してバンド部材１を這い回して張設することができる。
従って、梱包用巻き締め具１０は、最少本数で異形状の被梱包体１００にも対応し、最少本数で被梱包体１００の形状に合わせてバンド部材１の這い回しと締め付けができる。
図２２は、本発明の実施の形態例にかかる当接面４に溝４１を設けた梱包用巻き締め具１０の基本構成にかかわる拡大断面図である。
図２３は、本発明の実施の形態例にかかる当接面４に直線状の溝４１ａを設けた梱包用巻き締め具１０の基本構成図である。
図２４は、本発明の実施の形態例にかかる当接面４に四角形状の溝４１ａが他方溝４１ａを囲むように隣接して複数配置され梱包用巻き締め具１０の基本構成図である。
図２５は、本発明の実施の形態例にかかる当接面４に、バンド部材に締め付け方向に対して異なる向きで交差傾斜する直線状の溝４１ｂを複数配置する梱包用巻き締め具１０の基本構成図である。
【００２３】
図２２乃至図２５において、アジャスト部材２の当接面４は、被梱包体１００の外周面１００ａに対する滑りを防止する摩擦部材４０としての摩擦係数の高い護謨材または樹脂材等に複数個の溝４１が形成されている。
図２３に図示する複数の直線状の溝４１ａからなる溝４１は、バンド部材１の巻き締め方向の矢印Ａ方向に直交するように設けた溝である。図２４に図示する溝４１の溝４１ａは、四角形状の溝が他方溝を囲むように隣接して複数配置され、かつ対向する四角形状の溝の辺はそれぞれバンド部材１の巻き締め方向の矢印Ａ方向と交差する関係で配置されている。
図２５に図示する連続する溝４１、具体的にはバンド部材に締め付け方向に対して異なる向きで交差傾斜させた直線状の傾斜溝４１ｂは、バンド部材１が緩んだ際に、巻き締め方向の矢印Ａ方向の引っ張り方向にグリップ力を増すパターンである。
梱包用巻き締め具１０のアジャスト部材２の当接面４には、被梱包体１００の外周面１００ａにバンド部材１の巻き締め方向の矢印Ａ方向に直線状の溝４１ａまたは直線状の傾斜溝４１ｂが複数本形成されている。このような当接面４にすることによって、梱包用巻き締め具１０は、被梱包体１００の稜線等の潰れによりバンド部材１が緩んでも、張力をバンド部材１に付与し、緩み方向にグリップする作用とバンド部材１の張力を所定に保つ作用がある。同様に、輸送時のバンド部材１の緩みからの積載する被梱包体１００のずれや荷崩れを防止できる。
従って、梱包用巻き締め具１０は、バンド部材１とアジャスト部材２の這い回し締め付け後のアジャスト部材２の当接面４を被梱包体１００の外周面１００ａに密着して、移動しない作用があるので、全体のずれによる緩みを防止できるという効果もある。
【図面の簡単な説明】
【００２４】
【図１】本発明の実施の形態例にかかる梱包用巻き締め具が被梱包体である梱包箱を巻き締めて梱包する基本構成の斜視図である。
【図２】本発明の実施の形態例にかかる梱包用巻き締め具が被梱包体である集合箱を巻き締めて梱包する基本構成の斜視図である。
【図３】本発明の実施の形態例にかかる梱包用巻き締め具のアジャスト部材である伸縮型アジャスト部材の拡大図である。
【図４】本発明の実施の形態例にかかる梱包用巻き締め具の連結固定手段の断面図である。
【図５】本発明の実施の形態例にかかる梱包用巻き締め具の開孔部形状の形状が円形形状であるアジャスト部材の拡大上面図である。
【図６】本発明の実施の形態例にかかる梱包用巻き締め具の開孔部形状の形状が格子形状であるアジャスト部材の拡大上面図である。
【図７】本発明の実施の形態例にかかる梱包用巻き締め具の開孔部形状の形状が所要径の円周を断続的に描く円弧状スリットであるアジャスト部材の拡大上面図である。
【図８】本発明の実施の形態例にかかる梱包用巻き締め具のアジャスト部材である湾曲型アジャスト部材の拡大図である。
【図９】図８における本発明の実施の形態例にかかる梱包用巻き締め具における湾曲型アジャスト部材の湾曲形状部のＸ−Ｘ線の断面図である。
【図１０】本発明の実施の形態例にかかる梱包用巻き締め具における湾曲型アジャスト部材の湾曲状態の断面図である。
【図１１】本発明の実施の形態例にかかる梱包用巻き締め具における湾曲型アジャスト部材の弾性部材であるスプリングの基本構成図である。
【図１２】本発明の実施の形態例にかかる梱包用巻き締め具における湾曲型アジャスト部材の弾性部材である発泡材の基本構成図である。
【図１３】本発明の実施の形態例にかかる梱包用巻き締め具における湾曲型アジャスト部材の弾性部材である空気ばねの基本構成図である。
【図１４】本発明の実施の形態例にかかる梱包用巻き締め具における固定手段であって、バンド部材を連結するための隣接する二つの開口部の拡大図である。
【図１５】図１４における本発明の実施の形態例にかかる梱包用巻き締め具における固定手段あって、バンド部材を連結するための隣接する二つの開口部の断面図である。
【図１６】本発明の実施の形態例にかかる梱包用巻き締め具における固定手段である押圧固定部材の拡大図である。
【図１７】図１６における本発明の実施の形態例にかかる梱包用巻き締め具材における固定手段である押圧固定部材のＺ−Ｚ線の断面図である。
【図１８】本発明の実施の形態例にかかる梱包用巻き締め具の連結固定手段であるフック部材の基本構成図である。
【図１９】本発明の実施の形態例にかかる梱包用巻き締め具の連結固定手段である少なくとも相互に隣接する三つ以上の開口部をバンド部材の締め付け方向が略対向しない方向に供されるように配置するアジャスト部材の基本構成図である
【図２０】本発明の実施の形態例にかかる梱包用巻き締め具で三角柱形の被梱包体を梱包する基本構成図である。
【図２１】本発明の実施の形態例にかかる梱包用巻き締め具で多角柱形の被梱包体を梱包する基本構成図である。
【図２２】本発明の実施の形態例にかかる当接面に溝を設けた梱包用巻き締め具の拡大断面図である。
【図２３】本発明の実施の形態例にかかる当接面に直線状の溝を設けた梱包用巻き締め具の基本構成図である。
【図２４】本発明の実施の形態例にかかる当接面に四角形状の溝が他方溝を囲むように隣接して複数配置され梱包用巻き締め具の基本構成図である。
【図２５】本発明の実施の形態例にかかる当接面に交差する直線状の傾斜溝を複数配置する梱包用巻き締め具の基本構成図である。
【符号の説明】
【００２５】
１  バンド部材、２  アジャスト部材、３  連結固定手段、４  当接面、５  アングル部材、６  パレット、１０  梱包用巻き締め具、２０  アジャスト部材、２１  伸縮型アジャスト部材、２２  湾曲型アジャスト部材、２３  開孔部、２３ａ  前記開孔部２３の円形形状、２３ｂ  前記開孔部２３の四角形状、２３ｃ  前記開孔部２３の円弧状スリット、２４  湾曲形状部、２５  弾性部材、２５ａ  スプリング、２５ｂ  発泡材、２５ｃ  空気ばね、２６  摩擦部材、３０  開口部、３１  固定手段、３２  ずれ防止手段、３２ａ  凸形状部、３３ａ  エッジ、３３ｂ  エッジ、３３ｃ  エッジ、３４  押圧固定部材、３４ａ  固定棒、３４ｂ  凸部、３４ｃ  凹部、３５  フック部材、４０  摩擦部材、４１  溝、４１ａ  直線状の溝、４１ｂ  直線状の傾斜溝、１００  被梱包体、１００ａ、１０１ａ、１０２ａ、２００ａ  外周面、１００ｂ  稜線、１０１  梱包箱、１０２  集合箱、１０２ｂ〜ｎ、ｑ〜ｓ  箱
【図１】
2009248995.tif 000003
【図２】
2009248995.tif 000004
【図３】
2009248995.tif 000005
【図４】
2009248995.tif 000006
【図５】
2009248995.tif 000007
【図６】
2009248995.tif 000008
【図７】
2009248995.tif 000009
【図８】
2009248995.tif 000010
【図９】
2009248995.tif 000011
【図１０】
2009248995.tif 000012
【図１１】
2009248995.tif 000013
【図１２】
2009248995.tif 000014
【図１３】
2009248995.tif 000015
【図１４】
2009248995.tif 000016
【図１５】
2009248995.tif 000017
【図１６】
2009248995.tif 000018
【図１７】
2009248995.tif 000019
【図１８】
2009248995.tif 000020
【図１９】
2009248995.tif 000021
【図２０】
2009248995.tif 000022
【図２１】
2009248995.tif 000023
【図２２】
2009248995.tif 000024
【図２３】
2009248995.tif 000025
【図２４】
2009248995.tif 000026
【図２５】
2009248995.tif 000027